(57)【要約】      （修正有）【課題】過剰なノイズ音量に対する露出の結果としてユーザの耳の解剖学的構造が損傷されることを防止するために、使用前及び使用中にヘッドフォン・セットの音量レベルをユーザまたは第三者が容易に監視することを許容するヘッドフォン・デバイスを提供する。【解決手段】ヘッドフォン・ケースの一方もしくは両方内の変換器に対して入力される、または、それにより再生される信号レベルを表すアナログ・メータ２４が配備され、該メータは、それが、ヘッドフォン１０を着用せんとしているユーザ、または、ヘッドフォンを装着しているユーザを視認している第三者に対して容易に視認可能である様に、上記ヘッドフォン・ケースの外側面に組み込まれる。上記アナログ・メータは、好適には、該メータが共同配置される上記ヘッドフォン・ケース内の変換器により生成されつつある音圧を表し、且つ、例えば、ＶＵメータまたはＰＰＭメータであり得る。上記変換器と共同配置されたケースの本体内に上記メータを配置する。【選択図】図２
0003212438.tif 000002
【実用新案登録請求の範囲】
【請求項１】
接続バンドにより接続された一つ以上のヘッドフォン・ケース、好適には一対のヘッドフォン・ケースを備えるヘッドフォン・デバイスであって、
各ヘッドフォン・ケースの内の少なくとも一つ以上のヘッドフォン・ケースは、
電気信号を音響信号へと変換する変換器であって、ユーザの頭部へと内方に向けられて配置されたという変換器と、
該ヘッドフォン・ケース内の前記変換器に対して入力されつつある、または、それにより再生されつつある信号の特性の視覚的表示を提供するアナログ・メータであって、該メータが外方を向く如く前記ヘッドフォン・ケースの外側部上に配置されるというアナログ・メータと、
を備える、ヘッドフォン・デバイス。
【請求項２】
前記メータは指針式アナログ・メータである、請求項１に記載のデバイス。
【請求項３】
前記メータは音量単位(VU)で較正される、請求項１または２に記載のデバイス。
【請求項４】
前記メータはPPMメータである、請求項１または２に記載のデバイス。
【請求項５】
前記メータは、弱い周囲光の条件において使用されるために照明される、請求項１から４のいずれか一つの請求項に記載のデバイス。
【請求項６】
前記特性は信号レベルである、請求項１から５のいずれか一つの請求項に記載のデバイス。
【請求項７】
ユーザの各耳上に、または、各耳内に装着されるべく配置構成された一つ以上の音響再生ユニットと、
前記音響再生ユニットと共同配置されるべく取付けられると共に、当該装着可能な音響再生デバイスにおいて受信されつつある音響信号の特性を表示すべく配置構成された一つ以上の視覚的表示器と、
を備える、装着可能な音響再生デバイス。
【請求項８】
前記一つ以上の視覚的表示器は、アナログ・メータを備える、請求項７に記載のデバイス。
【請求項９】
前記一つ以上の視覚的表示器は、VUメータ、ピーク・プログラム・メータ、または、音圧レベル(SPL)メータの内の任意のものを備える、請求項７または８に記載のデバイス。
【請求項１０】
前記音響信号は、前記音響再生ユニットによる再生のために当該デバイスに対して送給されつつある信号である、請求項７から９のいずれか一つの請求項に記載のデバイス。
【請求項１１】
前記音響信号は、周囲音響場の一部として当該デバイスに入射する外部信号である、請求項７から９のいずれか一つの請求項に記載のデバイス。
【請求項１２】
当該デバイスは、前記周囲音響場をサンプリングして前記外部信号を決定する一つ以上のマイクロフォンを備える、請求項１１に記載のデバイス。
【請求項１３】
前記外部信号に依存して動作すべく配置構成されたノイズ防止回路機構を更に備える、請求項１１または１２に記載のデバイス。
【請求項１４】
前記装着可能な音響再生ユニットは、各耳に対する夫々の音響再生ユニットが内部に取付けられる夫々の耳カバーユニットを有する一対のヘッドフォンであり、
夫々の視覚的表示器は、装着されたときに装着者以外の第三者に対して視認可能であるべく、前記耳カバーユニットの外向き面上に取付けられる、請求項７から１３のいずれか一つの請求項に記載のデバイス。
【請求項１５】
夫々の前記視覚的表示器は、装着者の頭部に関し、前方向、横方向、または、後方向の内の任意の方向を向くべく配向される、請求項１４に記載のデバイス。
【請求項１６】
接続バンドにより接続された一つ以上のヘッドフォン、好適には一対のヘッドフォンを備えるヘッドフォン・デバイスであって、
各ヘッドフォンの内の少なくとも一つ以上のヘッドフォンは、
電気信号を音響信号へと変換する変換器と、
当該ヘッドフォンにおいて受信されつつある、または、当該ヘッドフォンにおいて前記変換器により再生されつつある信号の特性の視覚的表示を提供するメータであって、それが外方を向く如く当該ヘッドフォンの外側部上に配置されるというメータと、
を備える、ヘッドフォン・デバイス。
【請求項１７】
前記メータは指針式アナログ・メータである、請求項１６に記載のデバイス。
【請求項１８】
前記メータは音量単位(VU)で較正される、請求項１６または１７に記載のデバイス。
【請求項１９】
前記メータはPPMメータである、請求項１６または１７に記載のデバイス。
【請求項２０】
前記メータは、弱い周囲光の条件において使用されるために照明される、請求項１６から１９のいずれか一つの請求項に記載のデバイス。
【請求項２１】
前記特性は信号レベルである、請求項１６から２０のいずれか一つの請求項に記載のデバイス。
【考案の詳細な説明】
【技術分野】
【０００１】
本考案は、ヘッドフォンの分野に関する。特に、本考案は、例えば、当該ヘッドフォンにより再生されつつある信号の音圧レベルまたは音量レベルを表す単一もしくは複数の一体的で可視的なメータを備えたヘッドフォンに関する。
【背景技術】
【０００２】
当業界において知られるヘッドフォンは典型的に、ユーザの両耳上にて所定位置に保持されるべき一対の音響変換器であり、その場合にそれらはケーブルを介し、例えば、個人用メディア・プレーヤ、携帯電話、ラップトップ、コンピュータ、または、音響信号を生成し得る他の任意の電子的デバイスなどの、音響出力を備えたデバイスに対して接続される。斯かるヘッドフォンは、典型的に、再生変換器を含む２つの実質的に円形または楕円形のケースを備えると共に、それらは、各変換器をユーザの耳に当接させ、または、その近傍に保持して一切の外部ノイズを減衰するために、各耳上に着座する。そのようにすることで、ユーザは各変換器からの音響出力を明確に聞き得ると共に、音響信号の品質は周囲の音により阻害されない。しかし、音響出力の大きさが高レベルに設定されたとき、特に、高音量レベルが長時間にわたり維持されたとき、ユーザの耳に対する変換器の接近性は、例えば鼓膜などの耳の解剖学的構造に対する不都合な損傷に帰着し得る。深刻な場合、この損傷は永続的であり得る。
【考案の概要】
【考案が解決しようとする課題】
【０００３】
故に、ユーザ、または、第三者は、使用の前、及び、使用の間において、ヘッドフォンの音量レベルを監視し得ることが好適である。このことは、音響機器における信号レベルを表す表示物を提供する音量単位(VU)メータの如き、一定形態の音量表示デバイスを提供することにより達成され得る。図１に示された如く、特開2000-197172号は、ヘッドフォン・ケーブルのライン内である指針式アナログ・メータを備えたヘッドフォン装置を提供しており、これは、ユーザに対して音量レベルの視覚的表示を提供している。しかし、送給ケーブルが音響機器に対して接続されたとき、この視覚的表示は視界から遮られ、ユーザにより失念されることがある。更に、例えば、子供のヘッドフォンを監視する大人、または、ミュージシャンのヘッドフォンを監視するスタジオもしくはステージの技術者などの第三者により音量レベルが監視されつつあるとしても、該第三者は、必ずしもライン内メータを視認し得ないことがあることから、ユーザを邪魔せずに、または、その気を散らせずに、音量レベルを容易にチェックすることはできない。故に、ヘッドフォン・デバイスに対して入力されつつある音響信号の音量レベルを監視する更に容易で更に便利な手法を提供するという解決策が必要とされる。
【０００４】
他の種々の先行技術も知られている。例えば、米国特許出願公開公報第US2007/0291955号は、音量を表示する表示器を備えたワイヤレス・ヘッドフォン・ユニットを開示している。同様に、韓国実用新案公開公報第KR2010-0007476U号もまた、再生機器から獲得された音圧レベル情報を表示する表示器を有するヘッドフォンを記述している。
【課題を解決するための手段】
【０００５】
本考案の実施例は、過剰なノイズ音量に対する長期の露出の結果としてユーザの耳の解剖学的構造が損傷されることを防止するために、使用の前及び使用の間にヘッドフォン・セットの音量レベルをユーザまたは第三者が容易に監視することを許容する装置を提供することにより、上述の課題に対処する。特に、ヘッドフォン・ケースの一方もしくは両方内の変換器に対して入力されつつある、または、それにより再生されつつある信号レベルを表すアナログ・メータが配備され、該メータは、それが、上記ヘッドフォンを着用せんとしているユーザ、または、ヘッドフォンを装着しているユーザを視認している第三者に対して容易に視認可能である様に、上記ヘッドフォン・ケースの外側面に組み込まれる。上記アナログ・メータは、好適には、該メータが共同配置される上記ヘッドフォン・ケース内の変換器により生成されつつある音圧を表し、且つ、例えば、VUメータまたはPPMメータであり得る。上記変換器と共同配置されたケースの本体内に上記メータを配置することにより、先行技術のライン内機構よりも使用が更に容易かつ安全であるというコンパクトで視認が容易な配置機構が獲得される。
【０００６】
本考案は、接続バンドにより接続された一つ以上のヘッドフォン・ケース、好適には一対のヘッドフォン・ケースを備えるヘッドフォン・デバイスであって、
各ヘッドフォン・ケースの内の少なくとも一つ以上のヘッドフォン・ケースは、
電気信号を音響信号へと変換する変換器であって、ユーザの頭部へと内方に向けられて配置されたという変換器と、
該ヘッドフォン・ケース内の上記変換器に対して入力されつつある、または、それにより再生されつつある信号レベルの視覚的表示を提供するアナログ・メータであって、該メータが外方を向く如く上記ヘッドフォン・ケースの外側部上に配置されるというアナログ・メータと、
を備える、ヘッドフォン・デバイスを包含する。
【０００７】
一実施例において、上記メータは指針式アナログ・メータである。上記メータは、音量単位(VU)で較正され得るか、または、代替的に、上記メータはPPMメータであり得る。幾つかの実施例において、上記メータは、弱い周囲光の条件において使用されるために照明される。
【０００８】
別の見地から、本考案の実施例は、ユーザの各耳上に、または、各耳内に装着されるべく配置構成された一つ以上の音響再生ユニットと、上記音響再生ユニットと共同配置されるべく取付けられると共に、当該装着可能な音響再生デバイスにおいて受信されつつある音響信号の特性を表示すべく配置構成された一つ以上の視覚的表示器と、を備える、装着可能な音響再生デバイスも提供する。
【０００９】
一実施例において、上記一つ以上の視覚的表示器は、アナログ・メータを備える。更に、本考案の実施例において、上記一つ以上の視覚的表示器は、VUメータ、ピーク・プログラム・メータ、または、音圧レベル(SPL)メータの内の任意のものを備え得る。
【００１０】
本考案の幾つかの実施例において、上記音響信号は、上記音響再生ユニットによる再生のために上記デバイスに対して送給されつつある信号である。故に、例えば、上記信号は、メディア・プレーヤなどの如き音響再生デバイスにより生成されつつある再生信号である。
【００１１】
他の実施例において、上記音響信号は、周囲音響場の一部として上記デバイスに入射する外部信号である。斯かる配置構成においては、上記周囲音響場をサンプリングして上記外部信号を決定する一つ以上のマイクロフォンが配備され得る。これにより、例えば、声高のまたは騒々しい環境において、外部音響レベルの表示がユーザに対して提供され得る。この点に関し、斯かる配置構成において上記ヘッドフォンは音響防止ヘッドフォンであり得ることから、ユーザは上記表示により、自身の耳を騒々しいまたは声高の環境から保護するために、上記ヘッドフォンを装着することが促される。
【００１２】
斯かる実施例の更なる発展例において、上記デバイスは、上記外部信号に依存して動作すべく配置構成されたノイズ防止回路機構を更に含み得る。これはそのときに、外部のノイズまたは音響を能動的に防止すべく作用して、ユーザにより知覚される音響を更に減少する。当業界においては、逆位相技術を用いるノイズ防止法が知られている。
【００１３】
一実施例において、上記装着可能な音響再生ユニットは、各耳に対する夫々の音響再生ユニットが内部に取付けられる夫々の耳カバーユニットを有する一対のヘッドフォンであり、夫々の視覚的表示器は、装着されたときに装着者以外の第三者に対して視認可能であるべく、上記耳カバーユニットの外向き面上に取付けられる。上記夫々の視覚的表示器は、装着者の頭部に関し、前方向、横方向、または、後方向の内の任意の方向を向くべく配向され得る。
【００１４】
次に、例示的にのみ、添付図面を参照して本考案の実施例が記述される。
【図面の簡単な説明】
【００１５】
【図１Ａ】従来技術において知られる如く、ヘッドフォンの送給ケーブルのライン内である指針式アナログ・メータを備えたヘッドフォンを示す図である。
【図１Ｂ】従来技術において知られる如く、ヘッドフォンの送給ケーブルのライン内である指針式アナログ・メータを備えたヘッドフォンを示す図である。
【図１Ｃ】従来技術において知られる如く、ヘッドフォンの送給ケーブルのライン内である指針式アナログ・メータを備えたヘッドフォンを示す図である。
【図２】本考案の実施例に係る組込式の音量単位メータを備えたヘッドフォン装置を示す図である。
【考案を実施するための形態】
【００１６】
例示的に図２に示される本考案の実施例は、ユーザの頭部上に着座して当該イヤフォン・ケース20a−bを夫々の耳上に保持すべく構成されたアーム30により接続された第1及び第2のイヤフォン・ケース20a−bから成るヘッドフォン・セット(set of headphones)10を提供する。第1及び第2のイヤフォン・ケース20a−bは、電気信号を音響出力へと変換すべく構成された(不図示の)変換器が内部に配置された夫々のパッド22a−bを有している。該パッド22a−bは、一切の外部ノイズを減衰するためにユーザの耳を覆うべく構成される。
【００１７】
一方もしくは両方のイヤフォン・ケース20a−bは、外側面上にメータ24を更に備え(片側のみが示されている)、その場合に該メータ24は、ヘッドフォンの変換器に対して送給されつつある信号レベルの如き、信号の特性の視覚的表示を提供する。メータ24は、例えば、音量単位(VU)メータ、ピーク・プログラム・メータ(PPM)、または、ユーザが知覚しつつある音響信号レベルを表示すべく較正されると共に、その視覚的表現を提供し得る他の任意のデバイスであり得る。幾つかの実施例において、メータ24または各メータは、弱い周囲光の条件において監視を促進すべく照明される。VUメータ及びPPMメータは、それら自体が業界公知である。両方のヘッドフォン・ケース上にメータ24が配備される場合、それらは好適には、それらが配置された夫々のケースに対して送給されつつある信号レベルの如き、信号の特性を表示する。
【００１８】
斯かる配置構成によれば、ヘッドフォン10を装着する前に、ユーザは、該ヘッドフォンに対して如何なるレベルの音量が送給されつつあるかを明確に且つ容易に認識し得る。これに加え、ユーザがヘッドフォンを装着している間、任意の第三者は、ユーザを何ら阻害せずに、または、ユーザがヘッドフォンを取外すことを必要とせずに、ヘッドフォンに対して入力されつつある音量を迅速かつ容易にチェックし得る。大きすぎるのか、静かすぎるのかに関わらず、音量レベルが不適切であるなら、幾つかの実施例において、それは外部的に調節され得る。例えば、教師は、授業の間において児童の学習体験を阻害せずに、児童のヘッドフォンの音量レベルを監視することを必要とし得る。教師は、児童のヘッドフォンの外側部を単にチェックし、それに応じて音量を調節し得る。別の例において、レコーディング・スタジオにおけるスタジオ技術者は、ミュージシャンが演奏している間に、ミュージシャンのヘッドフォンの音量レベルを監視することを望み得る。本考案を用いると、技術者は、演奏を停止させずに、または、ミュージシャンの気を散らせることなく、ヘッドフォンの音量レベルを容易に認識し得る。
【００１９】
これに加え、各ケース上における信号レベル表示もまた、ユーザがヘッドフォンを装着する前に認識するために更に明確なので、既に大きすぎるレベルで動作しているヘッドフォンの装着による可能的な耳の損傷を回避し得る。
【００２０】
上述の実施例に対しては、種々の改変が為されることで、更なる実施例を提供し得る。例えば、幾つかの変更例において、上記メータは、アナログ・メータ、デジタル・ディスプレイ、または、機械的表示器の如き、任意の形式のメータであり得る。これに加え、幾つかの変更例において、メータ24の配向は変更され得、例えばそれは、先に示された如き横向きに対する代替策として、前向きもしくは後ろ向き、または、上向きもしくは下向き、または、それらの任意の組み合わせの如く、任意の外部方向を向き得る。
【００２１】
更に、幾つかの実施例において、測定単位は異なり得る。例えば、上記メータは、音響を、VU単位、(PPMを使用する)ピーク信号レベル単位、または、音圧レベル(SPL)単位の内の任意の単位で測定かつ表示し得る。表示される単位は、例えば、単位のデシベル(dB)形態(例えば、dB SPLなど)として、線形スケール上の単位により、または、対数的に表示され得る。
【００２２】
更なる実施例においては、上記メータが、ヘッドフォン変換器により再生されつつある信号の音響レベルを表す代わりに、該メータは、ヘッドフォンの外部周囲環境の音響レベルを表す。この点に関し、この実施例において、上記ヘッドフォンは、典型的に各ヘッドフォン・ケースの一方もしくは他方、または、両方上に配置される一つ以上の小寸のマイクロフォンを含み、それらは該ヘッドフォンの外部の周囲音響場をサンプリングするために使用される。一つ以上のマイクロフォンからの信号は次に、上記メータがヘッドフォンの外部の音響レベルを表示する如く、上記メータを駆動すべく使用される。各マイクロフォンが両方のヘッドフォン・ケース上に配備される場合、夫々のマイクロフォンは、当該マイクロフォンが取付けられるのと同一のケース上の対応メータを駆動すべく使用される。
【００２３】
代替的に、単一のマイクロフォンが配備された場合、それからの単一信号は、夫々のヘッドフォン・ケース上のメータの一方もしくは他方、または、両方を駆動すべく使用され得る。両方が同一信号により駆動される場合、夫々のメータは典型的に、同一信号を表示する。
【００２４】
斯かる配置構成は、コンサート会場、競走場の如く、高レベルの外部音響があり得るという状況、または、高音響レベルが生成されるという他の状況において有用である。上記メータは、外部音響レベルを表示することから、ユーザにより監視され得る。音響レベルが、ユーザが大きいと考え(且つ、上記メータ上に適切に載置されたマークによっても示され得)るレベルに達したとき、ユーザは、(自身に対し、または、例えば随伴する幼児の如き第三者に対し)ヘッドフォンを装着することで、装着者の耳に届く音響エネルギの量を減少し得る。
【００２５】
これに加え、更なる実施例において、上記ヘッドフォンは、業界公知である習用のノイズ防止技術を用い、能動的なノイズ防止ヘッドフォンとして構成されて、知覚される音響レベルを更に減少し得る。斯かる実施例は、知覚されるノイズを逆位相技術を用いて能動的に減少することにより、付加的なノイズ防止を実現する。
【００２６】
更なる実施例を提供する別の改変として、上記メータ自体が、照明目的で光を提供する照明器具である。斯かる配置構成は、他の光源が必要でないという利点を有する。但し、他の実施例においては、LED、電球の如き、上記メータとは別体的な光源が配備され得る。
【００２７】
示された実施例において、其処でのヘッドフォンは、バンドにより接続された２つのヘッドフォン・ケースを備えるが、斯かる配置構成は必須ではないこと、及び、バンドにより接続されないイヤフォン型の構成も想起されることを理解すべきである。故に、“ヘッドフォン・ケース”という語句によれば、メータが取付けられ得るに十分な外側領域を有するイヤフォン構成を包含することも意図される。
【００２８】
付加、除去、または、置換のいずれによるかに関わらず、上述の実施例に対しては種々の更なる改変が為されることで、更なる実施例が提供され得、それらの内の任意のもの及び全てが、添付の各請求項により包含されることが意図される。
【図１Ａ】
0003212438.tif 000003
【図１Ｂ】
0003212438.tif 000004
【図１Ｃ】
0003212438.tif 000005
【図２】
0003212438.tif 000006
【手続補正書】
【提出日】平成29年5月25日(2017.5.25)
【手続補正１】
【補正対象書類名】実用新案登録請求の範囲
【補正対象項目名】全文
【補正方法】変更
【補正の内容】
【実用新案登録請求の範囲】
【請求項１】
接続バンドにより接続された一つ以上のヘッドフォン・ケース、好適には一対のヘッドフォン・ケースを備えるヘッドフォン・デバイスであって、
各ヘッドフォン・ケースの内の少なくとも一つ以上のヘッドフォン・ケースは、
電気信号を音響信号へと変換する変換器であって、ユーザの頭部へと内方に向けられて配置されたという変換器と、
該ヘッドフォン・ケース内の前記変換器に対して入力されつつある、または、それにより再生されつつある信号の特性の視覚的表示を提供するアナログ・メータであって、該メータが外方を向く如く前記ヘッドフォン・ケースの外側部上に配置されるというアナログ・メータと、を備え、
前記メータは指針式アナログ・メータである、
ヘッドフォン・デバイス。
【請求項２】
前記メータは音量単位(VU)で較正される、請求項１に記載のデバイス。
【請求項３】
前記メータはPPMメータである、請求項１に記載のデバイス。
【請求項４】
前記メータは、弱い周囲光の条件において使用されるために照明される、請求項１から３のいずれか一つの請求項に記載のデバイス。
【請求項５】
前記特性は信号レベルである、請求項１から４のいずれか一つの請求項に記載のデバイス。
【請求項６】
装着可能な音響再生デバイスであって、
ユーザの耳上に、または、耳内に装着されるべく配置構成された一つ以上の音響再生ユニットと、
前記音響再生ユニットと共同配置されるべく取付けられると共に、当該装着可能な音響再生デバイスにおいて受信されつつある音響信号の特性を表示すべく配置構成された一つ以上の視覚的表示器と、を備え、
前記一つ以上の視覚的表示器は、アナログ・メータを備える、
装着可能な音響再生デバイス。
【請求項７】
前記一つ以上の視覚的表示器は、VUメータ、ピーク・プログラム・メータ、または、音圧レベル(SPL)メータの内の任意のものを備える、請求項６に記載のデバイス。
【請求項８】
前記音響信号は、前記音響再生ユニットによる再生のために当該デバイスに対して送給されつつある信号である、請求項６または７に記載のデバイス。
【請求項９】
前記音響信号は、周囲音響場の一部として当該デバイスに入射する外部信号である、請求項６または７に記載のデバイス。
【請求項１０】
当該デバイスは、前記周囲音響場をサンプリングして前記外部信号を決定する一つ以上のマイクロフォンを備える、請求項９に記載のデバイス。
【請求項１１】
前記外部信号に依存して動作すべく配置構成されたノイズ防止回路機構を更に備える、請求項９または１０に記載のデバイス。
【請求項１２】
前記装着可能な音響再生ユニットは、各耳に対する夫々の音響再生ユニットが内部に取付けられる夫々の耳カバーユニットを有する一対のヘッドフォンであり、
夫々の視覚的表示器は、装着されたときに装着者以外の第三者に対して視認可能であるべく、前記耳カバーユニットの外向き面上に取付けられる、請求項６から１１のいずれか一つの請求項に記載のデバイス。
【請求項１３】
夫々の前記視覚的表示器は、装着者の頭部に関し、前方向、横方向、または、後方向の内の任意の方向を向くべく配向される、請求項１２に記載のデバイス。
【請求項１４】
接続バンドにより接続された一つ以上のヘッドフォン、好適には一対のヘッドフォンを備えるヘッドフォン・デバイスであって、
各ヘッドフォンの内の少なくとも一つ以上のヘッドフォンは、
電気信号を音響信号へと変換する変換器と、
当該ヘッドフォンにおいて受信されつつある、または、当該ヘッドフォンにおいて前記変換器により再生されつつある信号の特性の視覚的表示を提供するメータであって、該メータが外方を向く如く当該ヘッドフォンの外側部上に配置されるというメータと、を備え、
前記メータは指針式アナログ・メータである、
ヘッドフォン・デバイス。
【請求項１５】
前記メータは音量単位(VU)で較正される、請求項１４に記載のデバイス。
【請求項１６】
前記メータはPPMメータである、請求項１４に記載のデバイス。
【請求項１７】
前記メータは、弱い周囲光の条件において使用されるために照明される、請求項１４から１６のいずれか一つの請求項に記載のデバイス。
【請求項１８】
前記特性は信号レベルである、請求項１４から１７のいずれか一つの請求項に記載のデバイス。